(57)【特許請求の範囲】
【請求項１】
オーディオ信号およびその付属情報を入力し、前記オーディオ信号を記録媒体に記録するオーディオ信号記録装置において、
前記付属情報に基づいて前記オーディオ信号の記録を制御する第１制御手段、
前記オーディオ信号のレベルに基づいて前記オーディオ信号の記録を制御する第２制御手段、
前記オーディオ信号の記録中に、前記付属情報が読み取れるかどうかを判別する判別手段、および
前記判別手段によって前記付属情報が読み取れると判別されたとき前記第１制御手段を能動化し、前記判別手段によって前記付属情報が読み取れないと判別されたとき前記第２制御手段を能動化する第１能動化手段を備えることを特徴とする、オーディオ信号記録装置。
【請求項２】
前記第１制御手段は、前記付属情報に含まれる時間情報に基づいて前記オーディオ信号の記録を制御する時間情報制御手段、および前記付属情報に含まれるインデックス情報に基づいて前記オーディオ信号の記録を制御するインデックス情報制御手段を含む、請求項１記載のオーディオ信号記録装置。
【請求項３】
前記第２制御手段は、前記レベルが前記第１閾値を下回る時間が第１所定時間を超えたとき前記オーディオ信号を記録終了する記録終了手段を含む、請求項１または２記載のオーディオ信号記録装置。
【請求項４】
前記オーディオ信号は複数曲分存在し、
前記付属情報に基づいて前記オーディオ信号の曲番を更新する第１更新手段、
前記オーディオ信号のレベルに基づいて前記オーディオ信号の曲番を更新する第２更新手段、および
前記判別手段によって前記付属情報が読み取れると判別されたとき前記第１更新手段を能動化し、前記判別手段によって前記付属情報が読み取れないと判別されたとき前記第２更新手段を能動化する第２能動化手段をさらに備える、請求項１ないし３のいずれかに記載のオーディオ信号記録装置。
【請求項５】
前記第１更新手段は、前記付属情報に含まれる曲番情報の変化に応じて記録する前記オーディオ信号の曲番を更新する、請求項４記載のオーディオ信号記録装置。
【請求項６】
前記第２更新手段は、前記レベルを前記第１閾値より高い第２閾値と比較する第２比較手段、および前記レベルが前記第２閾値を下回ってから前記第２閾値を上回るまでの時間が第２所定時間を超えるとき曲番を更新する曲番更新手段を含む、請求項４または５記載のオーディオ信号記録装置。
【発明の詳細な説明】
【０００１】
【産業上の利用分野】
この発明はデータ記録装置に関し、特にたとえばオーディオ信号を記録媒体に記録する、データ記録装置に関する。
【０００２】
【従来の技術】
従来のこの種のデータ記録装置の一例が、平成１２年５月３０日付で出願公開された特開２０００−１４９４０８号［Ｇ１１Ｂ  ２０／１０，Ｇ１１Ｂ  １９／０２，Ｇ１１Ｂ  ２０／００］公報に開示されている。この従来技術の録音装置では、ディジタルオーディオインターフェイスで受信されるディジタルデータに含まれる音楽信号と制御信号とを分けて、制御信号に含まれるユーザビットからユーザデータを復調し、トラックナンバを判別している。たとえば、ユーザがＡＵＴＯ−ＲＥＣキーを操作すると、判別されたトラックナンバを監視して、変化があった時に録音を開始して、音楽信号をＭＤの空き領域に記録するようにしていた。つまり、このようなシンクロ録音機能を備えていた。
【０００３】
【発明が解決しようとする課題】
しかし、この従来技術では、ユーザデータに含まれるトラックナンバを判別し、そのトラックナンバに基づいて音楽信号の記録を開始するようにしていたため、制御信号を読み取れない場合には音楽信号の記録を正常に実行できないという問題があった。つまり、ＣＤあるいはＭＤに傷がある場合には、ＣＤあるいはＭＤの再生装置から制御信号が送信されない場合があった。このため、正常にシンクロ録音機能を働かすことができなかった。
【０００４】
それゆえに、この発明の主たる目的は、制御信号を読み取れないときでも、正確にオーディオ信号を記録することができる、データ記録装置を提供することである。
【０００５】
【課題を解決するための手段】
この発明は、オーディオ信号およびその付属情報を入力し、オーディオ信号を記録媒体に記録するオーディオ信号記録装置において、付属情報に基づいてオーディオ信号の記録を制御する第１制御手段、オーディオ信号のレベルに基づいてオーディオ信号の記録を制御する第２制御手段、オーディオ信号の記録中に、付属情報が読み取れるかどうかを判別する判別手段、および判別手段によって付属情報が読み取れると判別されたとき第１制御手段を能動化し、判別手段によって付属情報が読み取れないと判別されたとき第２制御手段を能動化する第１能動化手段を備えることを特徴とする、オーディオ信号記録装置である。
【０００６】
【作用】
この発明のオーディオ信号記録装置は、オーディオ信号をＭＤのような記録媒体に記録できる。たとえば、オーディオ信号記録装置に設けられたディジタルオーディオインターフェイス（以下、単に「インターフェイス」という。）によって、ＣＤプレーヤあるいはＭＤプレーヤのような再生装置からのオーディオ信号およびその付属情報を含むディジタルデータが受信される。インターフェイスは、ディジタルデータからオーディオ信号および付属情報を個別に抽出し、それぞれを入力する。第１制御手段は、付属情報に基づいてオーディオ信号の記録を制御する。また、第２制御手段はオーディオ信号のレベルに基づいてオーディオ信号の記録を制御する。判別手段は、インターフェイスによって入力された付属情報が読み取れるかどうかを判別する。第１能動化手段は、判別手段の判別結果に応じて第１制御手段および第２制御手段の一方を能動化する。具体的には、付属情報が読み取れれば、第１能動化手段は第１制御手段を能動化する。一方、付属情報が読み取れなければ、第１能動化手段は第２制御手段を能動化する。つまり、オーディオ信号記録装置では、常に付属情報を検出し、第１制御手段でオーディオ信号の記録を制御するが、ＣＤあるいはＭＤに傷が発生し、再生装置から付属情報が送信されない場合には、すなわち付属情報が読み取れない場合には、第２制御手段によってオーディオ信号の記録を制御することができる。
【０００７】
たとえば、第１制御手段は、時間情報制御手段とインデックス情報制御手段とを含む。時間情報制御手段は、付属情報に時間情報すなわちＱデータに含まれる時間情報（ＭＩＮ、ＳＥＣおよびＦＲＡＭＥ）に基づいてオーディオ信号の記録を制御する。一方、インデックス情報制御手段は、付属情報に含まれるインデックス情報すなわちＱデータに含まれるインデックス情報（ＩＮＤＥＸ）に基づいてオーディオ信号の記録を制御する。また、特定手段が付属情報に含まれる出力元情報（カテゴリコード）に従ってオーディオ信号の出力元（再生装置）を特定する。したがって、第２能動化手段は、出力元がＣＤの場合には、時間情報制御手段を能動化し、出力元がＭＤの場合には、ＩＮＤＥＸ制御手段を能動化する。つまり、再生装置に応じた適切な制御でオーディオ信号を記録（記録開始／記録終了）することができる。
【０００８】
また、付属情報が読み取り取れない場合には、記録開始手段はレベルが第１閾値を超えたときオーディオ信号の記録を開始する。そして、記録終了手段は、記録中に付属情報が読み取れない場合には、レベルが第１閾値を下回る時間が第１所定時間を超えたとき、オーディオ信号の記録を終了する。
【０００９】
さらに、複数曲分のオーディオ信号が存在する場合には、第１更新手段は付属情報に基づいて曲番を更新し、第２更新手段はオーディオ信号のレベルに基づいて曲番を更新する。つまり、第３能動化手段は、付属情報が読み取れれば、第１更新手段を能動化し、付属情報が読み取れなければ、第２更新手段を能動化する。したがって、付属情報が読み取れなくても、曲番を更新することもできる。すなわち、オーディオ信号記録装置は、付属情報あるいはオーディオ信号のレベルに基づいて曲番を更新するようなオートマーカ機能を備えている。
【００１０】
具体的には、第１更新手段は、出力元がＣＤプレーヤまたはＭＤプレーヤに拘わらず、Ｑデータに含まれる曲番情報（ＴＮＯ）が変化すると、記録中のオーディオ信号の曲番を更新する。つまり、作成中のオーディ信号の管理情報（ＴＯＣ情報）に含まれる曲番（ＴＮＯ）を更新する。
【００１１】
一方、記録中に付属情報が読み取れない場合には、第２更新手段に含まれる第２比較手段がオーディオ信号のレベルを第１閾値よりも高い第２閾値と比較する。そして、曲番更新手段は、レベルが第１閾値より高い第２閾値を下回ってから再度第２閾値を上回るまでの時間が第２所定時間を超えるとき、記録中のオーディオ信号の曲番を更新する。このように、付属情報が読み取れなくても、曲番更新を実行することができる。
【００１２】
【発明の効果】
この発明によれば、付属情報を読み取れない場合であっても、オーディオ信号のレベルに基づいて、オーディオ信号を記録できるので、オーディオ信号を正確に記録することができる。
【００１３】
この発明の上述の目的，その他の目的，特徴および利点は、図面を参照して行う以下の実施例の詳細な説明から一層明らかとなろう。
【００１４】
【実施例】
図１を参照して、この実施例のオーディオ信号記録再生装置１０は光ピックアップ１２を含み、光ピックアップ１２はミニディスク（ＭＤ）１４に設けられたディスク１４ａの裏面にレーザ光を照射する。したがって、光ピックアップ１２はディスク１４ａからの反射光の偏向面から磁性面上のＮ極とＳ極とを判断し、ディスク１４ａに記録された再生信号（オーディオ信号）を取り出す。また、ディスク１４ａはスピンドルモータ１６によって回転駆動される。光ピックアップ１２で取り出されたオーディオ信号はＲＦアンプ１８に与えられる。ＲＦアンプ１８はオーディオ信号を増幅し、増幅されたオーディオ信号はデコーダ２０に与えられるとともに、サーボ回路２２に与えられる。
【００１５】
デコーダ２０は、ＲＦアンプ１８から与えられたオーディオ信号に誤り訂正（パリティエラーおよびインターリーブ）のための復号化処理やＥＦＭ(Eight to Fourteen Modulation)復調処理などの処理を施す。
【００１６】
サーボ回路２２は、ＲＦアンプ１８から与えられたオーディオ信号に基づいてシステムコントロールマイコン（以下、単に「シスコン」という。）２４の指示に従って、スピンドルモータ１６の回転制御をする。また、サーボ回路２２は、光ピックアップ１２をディスク１４ａのラジアル（スレッド）方向に移動させるためのスレッドモータ２６の回転駆動を制御する。さらに、サーボ回路２２は、光ピックアップ１２に設けられたレンズ（図示せず）がディスク１４ａに設けられたトラック（図示せず）上を正確にトレースするように制御する。つまり、シスコン２４の指示に従ってサーボ回路２２がトラッキングサーボおよびフォーカスサーボを制御する。
【００１７】
デコーダ２０を介したオーディオ信号は、メモリコントローラ２８の指示に従ってバッファメモリとしてのＤＲＡＭ３０に格納される。ＤＲＡＭ３０に格納されたオーディオ信号はシスコン２４の制御の下、メモリコントローラ２８の指示に従って一定のデータレートで読み出され、ＡＴＲＡＣ(Adaptive Transform Acoustic Coding)デコーダ３２に与えられる。ＡＴＲＡＣデコーダ３２では、ＡＴＲＡＣ方式で圧縮されたオーディオ信号が復調（伸長）され、伸長されたオーディオ信号はＤ／Ａ変換器３４に与えられる。したがって、オーディオ信号がアナログ信号に変換され、出力端子３６から図示しないアンプおよびスピーカを介して出力される。このようにして、ディスク１４ａに記録されたオーディオ信号が再生される。
【００１８】
ただし、ＭＤ１４の装着時にディスク１４ａに記録されたオーディオ信号の管理情報すなわちＴＯＣ（Table Of Contents)情報が光ピックアップ１２によって読み取られ、このＴＯＣ情報はメモリコントローラ２８の指示に従ってＲＡＭ２４ａに格納される。なお、ＴＯＣ情報は、ＤＲＡＭ３０に格納されてもよい。シスコン２４は、このＴＯＣ情報に基づいてオーディオ信号を再生する。また、ＴＯＣ情報には、曲数（ファイル数），この曲数（曲番）に対応して各曲が記録されている開始アドレス（絶対時間）と終了アドレス（絶対時間）および未記録領域の開始アドレス（絶対時間）と終了アドレス（絶対時間）などの情報が含まれる。
【００１９】
一方、入力端子３８にディジタルデータが入力されると、このディジタルデータはディジタルオーディオインターフェイス（以下、単に「インターフェイス」という。）４０を介してＡＴＲＡＣエンコーダ４２に与えられる。
【００２０】
インターフェイス４０は、ディジタルデータを受信すると、ディジタルデータに含まれるオーディオ信号を抽出し、ＡＴＲＡＣエンコーダ４２に与える（入力する）。また、インターフェイス４０は、ディジタルデータに含まれる付属情報を抽出し、シスコン２４に入力する。
【００２１】
ＡＴＲＡＣエンコーダ４２では、オーディオ信号をＡＴＲＡＣ方式で符号化（圧縮）する。圧縮されたオーディオ信号は、シスコン２４の制御の下、メモリコントローラ２８の指示に従ってＤＲＡＭ３０に格納（記憶）される。ＤＲＡＭ３０は、バッファメモリとして用いられ、オーディオ信号はメモリコントローラ２８とＤＲＡＭ３０とによって時間軸が制御される。つまり、シスコン２４は、ディスク１４ａにオーディオ信号を記録するために、必要に応じてメモリコントローラ２８に読み出しの指示を与える。したがって、ＤＲＡＭ３０に記憶されたオーディオ信号はバースト的に読み出される。メモリコントローラ２８によって読み出されたオーディオ信号はエンコーダ４４に与えられ、エンコーダ４４はエラー訂正のための符号化処理（パリティ付加およびインターリーブ処理）およびＥＦＭ符号化処理などの処理を施す。
【００２２】
エンコーダ４４で処理されたオーディオ信号は、ヘッド駆動回路４６に与えられる。ヘッド駆動回路４６は、磁気ヘッド４８に接続され、エンコーダ４４から与えられたオーディオ信号に応じた変調磁界をディスク１４ａに印加するように磁気ヘッド４８を駆動する。このとき、光ピックアップ１２は磁気ヘッド４８と対向して移動され、磁気ヘッド４８から与えられる変調磁界および光ピックアップ１２から与えられるレーザ光によって、磁界変調方式で熱磁気記録が実行される。オーディオ信号の記録中では、エンコーダ４４の処理情況に応じて、シスコン２４はオーディオ信号のＴＯＣ情報をＲＡＭ２４ａ（またはＤＲＡＭ３０）を用いて作成する。オーディオ信号記録再生装置１０は、オーディオ信号の記録が終了すると、作成したＴＯＣ情報をディスク１４ａに記録してから録音を終了する。
【００２３】
たとえば、入力端子３８には、図示は省略するが、ディジタル用の接続ケーブルを用いて、ＣＤプレーヤあるいはＭＤプレーヤが接続される。したがって、入力端子３８には、ＣＤプレーヤあるいはＭＤプレーヤのようなパッケージメディアのプレーヤ（再生装置）からのディジタルデータが入力される。
【００２４】
このようなディジタルデータは、インターフェイス４０の所定フォーマットに従って構成され、オーディオ信号（４４．１KHz サンプリング，１６ビット量子化）およびそのオーディオ信号に関連する付属情報（サブコードデータなど）を含んでいる。
【００２５】
具体的には、図２（Ａ）に示すように、インターフェイス４０の所定のフォーマットでは、サンプリング周波数を１フレームとし、これを基本の単位としている。この１フレームには、左チャネルおよび右チャネルのディジタル出力信号が含まれ、このディジタル出力信号は左チャネル、右チャネルの順で伝送される。また、各チャネルに対応するディジタルデータがサブフレームとされ、サブフレームの構成は図２（Ｂ）のように示される。
【００２６】
図２（Ｂ）に示すように、サブフレームは３２ビットで構成され、先頭の４ビットはプリアンブルであり、同期およびサブフレームの識別に用いられる。続く４ビットはＡＵＸ（予備ビット）であり、このＡＵＸに続いて２０ビットのオーディオデータ（オーディオサンプル）が設けられる。そして、このオーディオデータ（オーディオ信号）に続いて制御信号としてのＶビットデータ、Ｕビットデータ、ＣビットデータおよびＰビットデータが順に各１ビットずつで設けられる。
【００２７】
Ｖビットデータは有効フラグであり、この有効フラグが「０」であれば、このサブフレームは有効（信頼できる）と判断することができる。一方、有効フラグが「１」であれば、このサブフレームは無効（信頼できない）と判断することができる。したがって、シスコン２４は、Ｖビットデータに従ってデータ処理動作を実行するかどうかを判断できる。
【００２８】
また、Ｕビットデータが伝送される各サブフレームから集められた平均１１７６ビットのデータによってユーザデータが形成される。このユーザデータは、再生側のＣＤあるいはＭＤに記録されたユーザデータをそのまま表している。つまり、ユーザデータは、いわゆるＱデータ，Ｒデータ，Ｓデータ，ＴデータおよびＵデータなどの各サブコードデータを含んでいる。通常、ＣＤプレーヤあるいはＭＤプレーヤにおいては、Ｑデータに基づいて再生処理を実行しているため、この実施例では、ＣＤおよびＭＤのＱデータのみを図３（Ａ）および図３（Ｂ）のそれぞれに示してある。
【００２９】
図３（Ａ）に示すように、ＣＤのＱデータは９６ビットで構成され、サブコードのブロックの先頭を識別するための２ビットの同期信号（Ｓ０，Ｓ１）を含む。続いて、プリエンファシスの有無（ＯＮ／ＯＦＦ）、オーディオのチャネル数、ディジタルデータの識別情報を示す４ビットの情報（ＣＯＮＴＯＬ）が記述される。また、ＣＯＮＴＯＬに続く４ビットにＡＤＲが記述される。このＡＤＲは、Ｑデータ（フォーマット）識別情報であり、図３（Ａ）に示すように、ＡＤＲが１である場合には、このＱデータフォーマットがトラック番号および時間情報を示すデータであることを意味する。
【００３０】
また、ＡＤＲに続く８ビットにトラック（曲）番号（ＴＮＯ）が記述され、ＴＮＯに続いて後述するＰＭＩＮ、ＰＳＥＣおよびＰＦＲＭＥの内容を指定する８ビットの情報（ＰＯＩＮＴ）が記述される。このＰＯＩＮＴの次に曲内の経過時間（絶対時間アドレス）を示す分（ＭＩＮ）、秒（ＳＥＣ）およびフレーム（ＦＲＡＭＥ）が順に各８ビットずつで記述される。
【００３１】
さらに、ＦＲＡＭＥに続いて０固定の８ビットの情報（ＺＥＲＯ）が記述され、次に上述したＰＭＩＮ、ＰＳＥＣおよびＰＦＲＡＭＥが順に各８ビットずつで記述される。このＰＭＩＮ、ＰＳＥＣおよびＰＦＲＡＭＥは、ＰＯＩＮＴの値によって意味が決定される。たとえば、ＰＯＩＮＴの値が「０１ｈ」〜「９９ｈ」の場合には、ＰＯＩＮＴの値がトラックナンバを示し、このとき、ＰＭＩＮ、ＰＳＥＣおよびＰＦＲＡＭＥにはそのトラックナンバのトラックにおけるスタートポイントの時間情報（絶対時間アドレス）が記述される。そして、最後の１６ビットに巡回符号の誤り検出データ（ＣＲＣ）が記述される。
【００３２】
また、図３（Ｂ）のように、ＭＤのＱデータは示され、このＭＤのＱデータはＣＤのＱデータとほぼ同様である。したがって、異なる部分についてのみ説明し、重複する部分についての説明は省略する。つまり、ＭＤのＱデータでは、ＣＤのＱデータに含まれるＰＯＩＮＴに換えて、ＭＤの再生装置の動作状態を示す情報（ＩＮＤＥＸ）が記述されている。このＩＮＤＥＸが「００ｈ」を示すとき、ＭＤの再生装置は一時停止状態（ＰＡＵＳＥ）である。また、ＩＮＤＥＸが「０１ｈ」を示すとき、ＭＤの再生装置は再生状態（ＰＬＡＹ）である。さらに、ＩＮＤＥＸが「ＦＦｈ」を示すとき、ＭＤの再生装置は停止状態（ＳＴＯＰ）である。
【００３３】
図２（Ｂ）に戻って、Ｃビットデータを各チャネルから１９２個（１ワード）集めると、チャネルステータスデータが構成（復調）される。このチャネルステータスデータのフォーマット（ＩＥＣ９５８データフォーマット）は、図４のように示される。具体的には、１ワードの最初のビット（ビット０）は、送信機（再生装置）が家庭用であるか業務用であるかを区別するための識別ビットである。続く、ビット１〜ビット５には、コントロール情報が記述される。たとえば、ビット２は、著作権保護の識別ビットとされ、ビット２が「１」であれば、著作権保護が要求されておらず、ディジタルコピーが無制限に可能であり、ビット２が「０」であれば、著作権保護が要求されており、ディジタルコピーが制限される。また、ビット３は、エンファシスの有無の識別ビットである。
【００３４】
次のビット８〜ビット１５はカテゴリコードであり、ビット８〜ビット１４は送信側の機器（再生装置（出力元））に応じた特定のコードである。つまり、これによって、ＣＤプレーヤ、ＭＤプレーヤ、ＤＡＴプレーヤ、放送受信機あるいはＡ／Ｄ変換器などを識別することができる。すなわち、出力元のカテゴリを特定することができる。また、ビット１５はＬビットと呼ばれ、ディジタルオーディオ信号の世代を示し、一般に販売等されている録音済のソフトウェアの場合には、ビット１５は「１」とされる。
【００３５】
ただし、ＣＤやＭＤなどの光ディスク機器や放送受信機の場合には、ビット１５が「０」で録音済のソフトウェアを表す。
【００３６】
続いて、ビット１６〜ビット１９はソース番号であり、同一カテゴリの機器を複数台接続する場合に、各機器の識別に使用される。ビット２０〜２３は、チャネル番号であり、ディジタルオーディオインターフェイス（この実施例では、インターフェイス４０）のチャネル種別を示す。ビット２４〜ビット２７には、サンプリング周波数の識別コードが記述され、ビット２８およびビット２９にはサンプリング周波数の精度が記述される。ビット３２以降は未使用である。
【００３７】
また、図２（Ｂ）で示したＰビットデータはパリティビットであり、パリティビットは例えば偶数パリティが使用され、予備ビット、オーディオ信号、Ｖビットデータ、ＵビットデータおよびＣビットデータについてのエラー検出に使用される。
【００３８】
たとえば、入力端子３８を介して入力されるオーディオ信号を記録する場合には、ユーザが操作パネル５２に設けられた録音ボタン（図示せず）を操作する。すると、録音モードが設定される。具体的には、オーディオ信号記録再生装置１０は録音待機状態となる。そして、入力端子３８に接続された再生装置からディジタルデータが入力されると、録音が開始される。つまり、インターフェイス４０からオーディオ信号が入力されると、シスコン２４は録音を開始する。
【００３９】
具体的には、シスコン２４は入力される付属情報に基づいて録音を開始する。まず、シスコン２４は、付属情報に含まれるＣビットデータを集めて復調されたチャネルステータスデータに含まれるカテゴリコードを参照する。つまり、再生装置がＣＤプレーヤまたはＭＤプレーヤのいずれであるかを特定する。そして、シスコン２４は、特定した再生装置（カテゴリ）に応じて異なる処理でオーディオ信号の記録を開始する。
【００４０】
再生装置がＣＤプレーヤである場合には、図３（Ａ）で示したようなＱデータに含まれる時間情報すなわちＭＩＮ、ＳＥＣおよびＦＲＡＭＥを一定時間Ｔ１（この実施例では、３〜５秒の間で設定される。）参照し、その一定時間Ｔ１内で連続的に増加しているかどうかを判断する。時間情報が連続的に増加している場合には、曲の再生が開始したあるいは曲が始まると判断し、録音を開始する。
【００４１】
そして、一定時間Ｔ１内で時間情報が増加しなくなると、シスコン２４は、曲の再生が終了したあるいは曲が終わったと判断して、録音終了処理を実行する。つまり、作成したＴＯＣ情報をディスク１４ａに記録してから録音を終了する。
【００４２】
一方、再生装置がＭＤプレーヤである場合には、図３（Ｂ）で示したようなＱデータに含まれるＩＮＤＥＸを参照して、ＭＤプレーヤの状態を判別する。そして、ＩＮＤＥＸに「０１ｈ」が記述されている場合に、ＭＤプレーヤが再生状態（ＰＬＡＹ）と判別し、録音を開始する。
【００４３】
そして、ＩＮＤＥＸが「ＦＦｈ」を示すとき、シスコン２４は、ＭＤプレーヤが停止状態（ＳＴＯＰ）であると判別し、上述のＣＤプレーヤの場合と同様に録音終了処理を実行する。
【００４４】
また、録音中では、付属情報を常に監視（モニタリング）し、出力元（ソース）がＣＤプレーヤおよびＭＤプレーヤのいずれの場合にもＱデータに含まれる曲番（ＴＮＯ）が変わったときに、曲が切り換わったと判断し、作成中のＴＯＣ情報の曲番を更新する。
【００４５】
このように、オーディオ信号記録再生装置１０は、付属情報を常にモニタリングし、その付属情報に基づいてオーディオ信号の録音を開始／終了することができ、また曲番を更新することができる。
【００４６】
しかし、ＣＤあるいはＭＤに傷がある場合には、ＣＤプレーヤあるいはＭＤプレーヤから付属情報が入力されない場合がある。このため、シスコン２４では、付属情報が読み取れず、オーディオ信号の録音を正常に実行することができないという問題がある。
【００４７】
これを回避するため、オーディオ信号の録音開始前および録音中に、連続的に付属情報を読み取れない場合には、オーディオ信号のレベルに基づいて、録音の開始／終了および曲番の更新をするようにしている。
【００４８】
具体的には、インターフェイス４０から出力されたオーディオ信号は、ピークホールド回路５０に入力される。ピークホールド回路５２では、オーディオ信号のピーク値（レベル）をホールドし、そのピーク値をシスコン２４に与える。したがって、シスコン２４はピークホールド回路５０からのピーク値を検出し、オーディオ信号のレベルを検出することができる。
【００４９】
また、シスコン２４にはＲＯＭ２４ｂが設けられ、このＲＯＭ２４ｂには録音開始可能なオーディオ信号のレベル（判定レベルＬ１）および曲間を識別（判定）するためオーディオ信号のレベル（判定レベルＬ２）が記録されている。
【００５０】
ただし、判定レベルＬ１および判定レベルＬ２は、発明者が試験等することにより得られた値であり、判定レベルＬ１は−５５ｄＢ〜−５２ｄＢの間で設定され、判定レベルＬ２は−５２ｄＢ〜−５０ｄＢの間で設定される。たとえば、この実施例では、判定レベルＬ１は−５５ｄＢに設定され、判定レベルＬ２は−５０ｄＢに設定され、ＲＯＭ２４ｂに予め記録される。
【００５１】
なお、判定レベルＬ１および判定レベルＬ２は、ＣＤプレーヤおよびＭＤプレーヤに拘わらず、上述のような値で設定すればよいことが実験により得られている。
【００５２】
たとえば、図５に示すように、時間とともにレベルが変化するオーディオ信号がインターフェイス４０から入力された場合について考える。図５からも分かるように、判定レベルＬ２は判定レベルＬ１よりも高く設定される。
【００５３】
なお、図５では、２曲分のオーディオ信号が入力された場合について示してある。
【００５４】
したがって、シスコン２４は、インターフェイス４０から付属情報が入力されない場合には、ピークホールド回路５０から入力されるオーディオ信号のレベル（入力レベル）を検出し、入力レベルを判定レベルＬ１と比較する。そして、シスコン２４は、入力レベルが判定レベルＬ１を超えたときに録音を開始する。このとき、記録中の曲に曲番「１」が割り当てられる。つまり、作成中のＴＯＣ情報の曲番（ＴＮＯ）に「１」が記述される。
【００５５】
このように、比較的低レベルである判定レベルＬ１に基づいて録音を開始させるので、微小音で始まる曲であっても、正確に録音を開始することができる。
【００５６】
また、録音中では、シスコン２４は、インターフェイス４０から付属情報が入力されない場合には、入力レベルを検出して、入力レベルを判定レベルＬ２と比較する。そして、入力レベルが判定レベルＬ２を下回ってから再度判定レベルＬ２を上回るまでの時間が判定時間Ｔ２を超えるとき、シスコン２４は曲間と判断して、作成中のＴＯＣ情報に含まれる曲番（ＴＮＯ）を更新する。
【００５７】
なお、判定時間Ｔ２を超えるかどうかを判断するのは、図５に示すように、曲の途中であっても局所的に判定レベルＬ２を下回るような場合があり、正確に曲間を判定するためである。
【００５８】
さらに、シスコン２４は、インターフェイス４０から付属情報が入力されない場合には、入力レベルを検出（監視）し、入力レベルが判定レベルＬ２を下回った後にさらに判定レベルＬ１を下回る時間が判定時間Ｔ３を超えたとき、録音を終了する。
【００５９】
なお、判定レベルＬ１を下回る時間が判定時間Ｔ３を超えたかどうかを判断するのは、曲間と区別し、正常にオーディオ信号の録音（ダビング）を終了するためである。
【００６０】
このような動作をシスコン２４は、図６〜図１１に示すフロー図に従って処理する。図６を参照して、オーディオ信号記録再生装置１０の主電源がオンされると、シスコン２４は処理を開始し、ステップＳ１で録音ボタンが押されたかどうかを判断する。ステップＳ１で“ＮＯ”であれば、つまり録音ボタンが押されなければ、同じステップＳ１に戻る。
【００６１】
一方、ステップＳ１で“ＹＥＳ”であれば、つまり録音ボタンが押されれば、ステップＳ３で録音モードに設定する。すなわち、録音待機状態となる。続くステップＳ５では、後で詳細に説明するソース側のスタート検出処理を実行する。簡単に説明すると、ＣＤプレーヤあるいはＭＤプレーヤが再生を開始したかどうかを判断している。
【００６２】
続いて、ステップＳ７でスタートフラグがオンかどうかを判断する。つまり、ＣＤプレーヤあるいはＭＤプレーヤが再生を開始したかどうかを判断する。ステップＳ７で“ＮＯ”であれば、つまり再生が開始してなければ、そのままステップＳ５に戻る。一方、ステップＳ７で“ＹＥＳ”であれば、つまり再生が開始すると、ステップＳ９でシンクロ録音を開始する。
【００６３】
録音を開始すると、ステップＳ１１で後で詳細に説明する曲間判定処理を実行する。簡単に説明すると、曲が切り換わったかどうかを判別し、曲番を更新する。続くステップＳ１３では、後で詳細に説明するソース側のストップ検出処理を実行する。つまり、再生装置の再生が終了したかどうかを判断している。
【００６４】
そして、ステップＳ１５では、ストップフラグがオンかどうかを判断する。つまり、再生が終了したかどうかを判断する。ステップＳ１５で“ＮＯ”であれば、つまり再生を終了してなければ、そのままステップＳ１１に戻る。一方、ステップＳ１５で“ＹＥＳ”であれば、つまり再生が終了すると、ステップＳ１７で録音終了処理を実行してから処理を終了する。すなわち、作成したＴＯＣ情報をディスク１４ａに記録した後に、シンクロ録音を終了している。
【００６５】
図７を参照して、シスコン２４は、図６で示したステップＳ５のソース側のスタート検出処理を開始すると、ステップＳ２１でサブコードを読み取れるかどうかを判断する。つまり、付属情報が読み取り可能かどうかを判断する。ステップＳ２１で“ＹＥＳ”であれば、つまり付属情報が読み取り可能であれば、ステップＳ２３でＣＤを再生しているかどうかを判断する。具体的には、カテゴリコードに従って再生装置の種類を特定し、その再生装置で再生されるメディア（ＣＤまたはＭＤ）を特定する。
【００６６】
ステップＳ２３で“ＹＥＳ”であれば、つまりＣＤであれば、ステップＳ２５で図３（Ａ）で示した時間情報（ＭＩＮ、ＳＥＣおよびＦＲＡＭＥ）が一定時間Ｔ１内で連続して増加したかどうかを判断する。ステップＳ２５で“ＮＯ”であれば、つまり時間情報が増加しなければ、再生が開始されていないと判断して、そのままリターンする。一方、ステップＳ２５で“ＹＥＳ”であれば、つまり時間情報が増加していれば、再生が開始されたと判断して、ステップＳ２７でスタートフラグをオンしてからリターンする。
【００６７】
一方、ステップＳ２３で“ＮＯ”であれば、つまりＭＤであれば、ステップＳ２７で図３（Ｂ）で示したＱデータに含まれるＩＮＤＥＸがＰＬＡＹ（再生状態）であるかどうかを判断する。つまり、ＩＮＤＥＸに「０１ｈ」が記述されているかどうかを検出する。ステップＳ２７で“ＮＯ”であれば、つまり再生状態でなければ、そのままリターンする。一方、ステップＳ２７で“ＹＥＳ”であれば、つまり再生状態であれば、ステップＳ２９でスタートフラグをオンしてからリターンする。
【００６８】
また、ステップＳ２１において“ＮＯ”であれば、つまりサブコード（付属情報）が読み取れない不能であれば、ステップＳ３３で入力レベルが判定レベルＬ１を超えたかどうかを判断する。ステップＳ３３で“ＮＯ”であれば、つまり入力レベルが判定レベルＬ１に満たない場合には、再生が開始されていないと判断して、そのままリターンする。一方、ステップＳ３３で“ＹＥＳ”であれば、つまり入力レベルが判定レベルを超えていれば、再生が開始されたと判断して、ステップＳ３５でスタートフラグをオンしてからリターンする。
【００６９】
図８に示すように、シスコン２４は、図６で示したステップＳ１１の曲判定処理を開始すると、ステップＳ４１でサブコードが読み取れるかどうかを判断する。つまり、付属情報が読み取り可能かどうかを判断する。ステップＳ４１で“ＹＥＳ”であれば、つまり付属情報が読み取り可能であれば、ステップＳ４３で図３（Ａ）および図３（Ｂ）で示したＣＤあるいはＭＤのＱデータに含まれる曲番（ＴＮＯ）が変化したかどうかを判断する。ステップＳ４３で“ＮＯ”であれば、つまりＴＮＯが変化しなければ、そのままリターンする。一方、ステップＳ４３で“ＹＥＳ”であれば、つまりＴＮＯが変化すれば、ステップＳ４５で曲番を更新してからリターンする。すなわち、作成中のＴＯＣ情報に含まれる曲番を更新する。
【００７０】
一方、ステップＳ４１で“ＮＯ”であれば、つまり付属情報が読み取り不能であれば、ステップＳ４７で入力レベルが判定レベルＬ２を下回っているかどうかを判断する。ステップＳ４７で“ＹＥＳ”であれば、つまり入力レベルが判定レベルＬ２を下回っていれば、ステップＳ４９で判定レベルＬ２を下回ってから判定時間Ｔ２以上が経過したかどうかを判断する。ステップＳ４９で“ＮＯ”であれば、つまり判定時間Ｔ２に満たない場合には、曲間でないと判断して、そのままリターンする。一方、ステップＳ４９で“ＹＥＳ”であれば、つまり判定時間Ｔ２以上継続すると、ステップＳ５１で曲間判定フラグをオンしてからリターンする。
【００７１】
また、ステップＳ４７において“ＮＯ”であれば、つまり入力レベルが判定レベルＬ２を上回っていれば、図９に示すステップＳ５３で曲間判定フラグがオンかどうかを判断する。ステップＳ５３で“ＮＯ”であれば、つまり判定フラグがオフであれば、曲間でないと判断して、そのままリターンする。一方、ステップＳ５３で“ＹＥＳ”であれば、つまり曲間判定フラグがオンであれば、ステップＳ５５で曲番を更新してからリターンする。このように、判定レベルＬ２を下回ってから再度判定レベルＬ２を上回るまでの時間が判定時間Ｔ２を超えていれば、曲間と判定し、曲番が更新される。
【００７２】
図１０に示すように、シスコン２４は、図６で示したステップＳ１３のソース側ストップ検出処理を開始すると、ステップＳ６１でサーブコードが読めているかどうかを判断する。つまり、付属情報が読み取り可能かどうかを判断する。ステップＳ６１で“ＹＥＳ”であれば、つまり付属情報が読み取り可能であれば、ステップＳ６３でカテゴリコードに基づいてＣＤかどうかを判断する。
【００７３】
ステップＳ６３で“ＹＥＳ”であれば、つまりＣＤであれば、ステップＳ６５で時間情報（ＭＩＮ、ＳＥＣおよびＦＲＡＭＥ）が一定時間Ｔ１内で増加しなくなったかどうかを判断する。ステップＳ６５で“ＮＯ”であれば、つまり時間情報が増加していれば、オーディオ信号が入力（再生）されていると判断してそのままリターンする。一方、ステップＳ６５で“ＹＥＳ”であれば、つまり時間情報が増加しなくなれば、オーディオ信号の再生が終了したと判断し、ステップＳ６７でストップフラグをオンしてからリターンする。
【００７４】
一方、ステップＳ６３で“ＮＯ”であれば、つまりＭＤあれば、ステップＳ６９でＩＮＤＥＸがＳＴＯＰ（停止状態）またはＰＡＵＳＥ（一時停止状態）かどうかを判断する。つまり、ＩＮＤＥＸに「００ｈ」または「ＦＦｈ］が記述されているかどうかを判別する。ステップＳ６９で“ＮＯ”であれば、つまりＩＮＤＥＸに「０１ｈ」が記述されていれば、再生状態であると判断してそのままリターンする。一方、ステップＳ６９で“ＹＥＳ”であれば、つまり停止状態あるいは一時停止状態であれば、再生が終了したと判断して、ステップＳ７１でストップフラグをオンしてからリターンする。
【００７５】
また、ステップＳ６１で“ＮＯ”であれば、つまり付属情報が読み取り不能であれば、図１１に示すステップＳ７３で入力レベルが判定レベルＬ１を下回っているかどうかを判断する。ステップＳ７３で“ＮＯ”であれば、つまり入力レベルが判定レベルを上回っていれば、そのままリターンする。一方、ステップＳ７３で“ＹＥＳ”であれば、つまり入力レベルが判定レベルＬ１を下回っていれば、ステップＳ７５で判定時間Ｔ３を超えたかどうかを判断する。ステップＳ７５で“ＮＯ”であれば、つまり判定時間Ｔ３を超えなければ、曲間あるいは曲の途中で微小音になったと判断して、そのままリターンする。一方、ステップＳ７５で“ＹＥＳ”であれば、つまり判定時間Ｔ３を超えると、再生が終了したと判断し、ステップＳ７７でストップフラグをオンしてからリターンする。
【００７６】
この実施例によれば、付属情報を読み取れない場合であっても、オーディオ信号のレベルに基づいてダビングを開始したり、終了したりすることができるので、正確にオーディオ信号をダビングすることができる。つまり、シンクロ録音を正常に働かせることができる。
【００７７】
また、同様に、曲番を更新できるので、適切な位置で曲を切り換えることもできる。つまり、オートマーカ機能を正常に働かせることもできる。
【００７８】
したがって、このように記録したオーディオ信号を再生する場合に、ジャンプしたり、スキップしたりして、所望の曲の先頭から再生することができる。また、ランダム再生やプログラム再生なども実行することができる。
【００７９】
なお、この実施例では、オーディオ信号の記録および再生が可能なオーディオ信号記録再生装置について示したが、記録のみが可能な装置であってもよい。
【００８０】
また、この実施例では、オーディオ信号を記録する場合についてのみ示したが、動画像や静止画像のような画像に対応する画像データを記録する場合にも同様にしてシーン毎や１画面毎に画像を切り換えて記録することもできる。
【図面の簡単な説明】
【図１】この発明の一実施例を示す図解図である。
【図２】図１実施例に示すオーディオ信号記録再生装置に入力されるディジタルデータの構成図である。
【図３】図２に示すＵビットデータで形成されるＣＤおよびＭＤのＱデータの構成図である。
【図４】図２に示すＣビットデータで形成されるチャネルステータスのフォーマットを示す図解図である。
【図５】図１に示すインターフェイスから入力されるオーディオ信号のレベルの変化を示すタイミングチャートである。
【図６】図１実施例に示すシスコンの処理の一部を示すフロー図である。
【図７】図６に示すシスコンのソース側のスタート検出処理を示すフロー図である。
【図８】図６に示すシスコンの曲間判定処理の一部を示すフロー図である。
【図９】図６に示すシスコンの曲間判定処理の他の一部を示すフロー図である。
【図１０】図６に示すシスコンのソース側のストップ検出処理の一部を示すフロー図である。
【図１１】図６に示すシスコンのソース側のストップ検出処理の他の一部を示すフロー図である。
【符号の説明】
１０  …オーディオ信号記録再生装置
１４  …ＭＤ
２４  …システムコントロールマイコン
２８  …メモリコントローラ
３２  …ＡＴＲＡＣデコーダ
４０  …ディジタルオーディオインターフェイス
４２  …ＡＴＲＡＣエンコーダ
４８  …磁気ヘッド
５０  …ピークホールド回路
５２  …操作パネル
【図１】
0003869646.tif 000002
【図２】
0003869646.tif 000003
【図３】
0003869646.tif 000004
【図４】
0003869646.tif 000005
【図５】
0003869646.tif 000006
【図６】
0003869646.tif 000007
【図７】
0003869646.tif 000008
【図８】
0003869646.tif 000009
【図９】
0003869646.tif 000010
【図１０】
0003869646.tif 000011
【図１１】
0003869646.tif 000012